【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
二つの出口マイクロ導管(マイクロ導管ＩおよびＩＩ(それぞれ４および５))の中に枝分かれする入口マイクロ導管(３)を備えて、液体を輸送するために回転軸(８ａ)の周りに装置(７)を回転することにより創成される遠心力を使用する微小流体装置(７)のマイクロチャネル構造(６)の中に存在する液体ルーター(１)であって、
Ａ) その中に
ａ) 二つの出口開口部(出口ＩおよびＩＩ、それぞれ１２および１３)を備える下方部分(１０)、ならびに
ｂ) 入口マイクロ導管(３)が接続される入口開口部(１４)を備える上方部分(１１)、
があるマイクロキャビティー(９)、
ならびに
Ｂ) 出口ＩおよびＩＩ(それぞれ１２、１３)に接続され、回転軸(８ａ)に対して更に短いラジアル位置から更に大きいラジアル位置へ伸長するマイクロ導管ＩおよびＩＩ(それぞれ、４および５)、
(ここで、マイクロ導管ＩＩ(５)は、マイクロ導管Ｉ(４)に比較して減少された親水性を有する)
を備えることを特徴とする、液体ルーター(１)。
【請求項２】
請求項１に記載のルーター(１)であって、入口開口部(１４)および出口Ｉ(１２)の間の内部表面(１７)の上に非湿潤性なパッチ(２８)を備え、該パッチ(２８)は入口開口部(１４)から出口Ｉ(１２)への当該表面(１７)の上で液体輸送を妨げる能力があることを特徴とする、ルーター(１)。
【請求項３】
請求項１〜２のいずれか１項に記載のルーター(１)であって、出口Ｉ(１２)より更に短いラジアル位置において通気開口部(２９)を備え、該通気開口部(２９)は、液体が出口Ｉ(１２)を通ってマイクロキャビティー(９)を通り過ぎるときに、上方部分(１１)の中で下圧力の発生の影響を打ち消す能力があることを特徴とする、ルーター(１)。
【請求項４】
非湿潤性なパッチ(２８)が通気開口部(２９)を取り囲むことを特徴とする、請求項２〜３のいずれか１項に記載のルーター(１)。
【請求項５】
請求項１〜４のいずれか１項に記載のルーター(１)であって、当該減少された湿潤性がａ)出口ＩＩ(１３)の近くのマイクロキャビティー(９)および／もしくはｂ)マイクロ導管ＩＩ(５)の中の周囲の区域の内壁の表面における疎水性パターン化(２７)によるものであることを特徴とする、ルーター(１)。
【請求項６】
二つ、三つ、四つもしくはそれ以上の内部側壁、好ましくは向かい合っているかおよび／もしくは近接している側壁の表面が、周囲の区域内で非湿潤性であることを特徴とする、請求項１〜５のいずれか１項に記載のルーター(１)。
【請求項７】
出口Ｉ(１２)および出口ＩＩ(１３)の間のマイクロキャビティーの内部表面(１８)が非湿潤性であることを特徴とする、請求項１〜６のいずれか１項に記載のルーター(１)。
【請求項８】
請求項１〜７のいずれか１項に記載のルーター(１)であって、
ａ) 入口開口部(１４)およびマイクロキャビティー(９)の最大横断面の寸法(幅もしくは深さ)についてのラジアル位置の相違、ならびに／または
ｂ) 入口開口部(１４)および出口ＩＩ(１３)ならびにマイクロキャビティー(９)の最大横断面の寸法(幅もしくは深さ)についてのラジアル位置の相違、ならびに／または
ｃ) 入口開口部(１４)ならびに出口ＩＩ(１３)のおよびマイクロ導管ＩＩ(５)の親水性に関連する疎水性パターン化(２７)の上方末端のラジアル位置の相違
の間の比率が、≧１もしくは≧２もしくは≧５もしくは≧１０もしくは≧２５もしくは≧５０もしくは≧１００のように、≧０.５であることを特徴とする、ルーター(１)。
【請求項９】
請求項１〜８のいずれか１項に記載のルーター(１)であって、入口開口部(１４)および
ａ) 出口ＩＩ(１３)もしくは
ｂ) 出口ＩＩ(１３)およびマイクロ導管ＩＩ(５)の親水性に関連する疎水性パターン化()の上方末端
の間のラジアル位置の相違が、≧５０μｍもしくは≧１００μｍもしくは≧１５０μｍもしくは≧２００μｍもしくは≧３００μｍ≧のように、≧２５μｍで、そして≦６００μｍもしくは≦４００μｍのように、≦１０００μｍであることを特徴とする、ルーター(１)。
【請求項１０】
請求項１〜９のいずれか１項に記載のルーター(１)であって、マイクロキャビティー(９)の中の流れの方向に垂直な最大の横断面区域が入口開口部(１４)の区域より、例えば、＞５もしくは＞１０もしくは＞２５もしくは≧５０もしくは≧１００のように、ファクター＞２だけ、更に大きいことを特徴とする、ルーター(１)。
【請求項１１】
請求項１〜１１のいずれか１項に記載のルーター(１)であって、当該マイクロチャネル構造(６)が、
(ａ) 一つもしくはそれ以上の成分を含有する液体アリコートを、それぞれが、
(i) 一つ、二つもしくはそれ以上の当該一つもしくはそれ以上の成分の残存する量、および／または
(ii) 加工の間に形成される一つもしくはそれ以上の生成物の成分
を含有する、一つもしくはそれ以上の他の液体アリコートに加工するための、入口開口部(１４)と下流流体連絡にある第一の加工マイクロキャビティー(２０)、ならびに
(ｂ) 当該一つもしくはそれ以上の他の液体アリコートの少なくとも一つを加工するための出口マイクロ導管(４、５)の一つと上流流体連絡にある第二の加工マイクロキャビティー(３０、３２)
を備えることを特徴とする、ルーター(１)。
【請求項１２】
請求項１１に記載のルーター(１)であって、当該第一および第二の加工マイクロキャビティー(２０、３０、３２)が、
(ａ) 分離マイクロキャビティー(例えば、多孔性床の形での固体相もしくはサイズ排除固体相のような、加工マイクロキャビティーの表面のような分離媒体としての固体相、および例えば、疎水性基、荷電基、両性基、親水性基等を含む一つもしくはそれ以上の親和性基を呈示する固体相)、
(ｂ) 親和性反応器(即ち、均一なおよび／もしくは不均一な酵素反応、抗体、その抗体活性フラグメント、類似体等と、抗原、抗原フラグメント、ハプテン等のような対応する親和性カウンターパートの間の反応を含む受容体とリガンドの間の均一なおよび／もしくは不均一な親和性反応のような均一なまたは不均一な親和性反応を実施するためのマイクロキャビティー)、
(ｃ) 環境大気に開放しもしくは閉鎖し得る検出マイクロキャビティー、ならびに
(ｄ) その中で異なる種類の加工法の組合せを行うことができて、加工法の種類は、例えば、分離、親和性反応、および検出から選択されるマイクロキャビティー、
から選択されることを特徴とする、ルーター(１)。
【請求項１３】
二つもしくはそれ以上の当該マイクロチャネル構造(６)が微小流体装置(７)の中に存在することを特徴とする、請求項１〜１２のいずれか１項に記載のルーター(１)。
【請求項１４】
請求項１〜１３のいずれか１項に記載のルーター(１)であって、微小流体装置(７)が、ディスク平面と実質的に平面であるそれぞれのマイクロチャネル構造(６)および好ましくはディスク平面に直交するかもしくは平行である回転軸(８ａ)を有するディスク形であることを特徴とする、ルーター(１)。
【請求項１５】
微小流体装置(７)がディスク平面に直交する対称軸(Ｃｎ、ｎ＝２、３、４、５、６....... ∞)(８ａ)を有するディスク形であることを特徴とする、請求項１〜１４のいずれか１項に記載のルーター(１)。
【請求項１６】
対称軸および回転軸(８ａ)が合致する、好ましくは微小流体装置(７)が円形であることを特徴とする、請求項１５に記載のルーター(１)。
【請求項１７】
回転軸(８ａ)のまわりに装置(７)を回転することにより液体ルーターを通して遠心力により液体を駆動できるようにデザインされた微小流体装置(７)のマイクロチャネル構造(６)内で、入口マイクロ導管(３)の二つの枝分かれ(出口マイクロ導管ＩおよびＩＩ)(４、５)の間に液体を分割する方法であって、
(i) 請求項１〜１６に規定される液体ルーター(１)の入口マイクロ導管(３)と下流流体連絡にある液体用の入口孔(３５)を備える、少なくとも一つのマイクロチャネル構造(６)を備える微小流体装置(７)を提供すること、
(ii) 入口マイクロ導管(３)の中に液体を提供すること、
(iii) 入口開口部(１４)からおよびルーティングマイクロキャビティー(９)の内部表面(１６ａ、１６)上で、下向きに、大きくなる小液滴がルーティングマイクロキャビティー(９)の中におよび／もしくは出口マイクロ導管ＩＩ(１５)の中に形成されるように、下向きの輸送を妨げる局所的区域(２７)に、表面液流を確立する速度(速度１)で、装置(６)を回転することであって、
Ａ) 速度１ａが、液体が出口マイクロ導管Ｉ(１２)を通って通過するだけにさせる、即ち大きくなる小液滴の自由な表面が、ａ)出口マイクロ導管Ｉ(４)内に、もしくはｂ)ルーティングマイクロキャビティー(９)内にある湿潤性な内部表面(１９、１７)に達し、そして出口マイクロ導管Ｉ(４)の中に伸びる、ならびに
Ｂ) 速度１ｂが、液体が出口マイクロ導管ＩＩ(１２)を通って通過するだけにさせる、即ち小液滴が局所的区域(２７)を超えて出口マイクロ導管ＩＩへ下って通過するであろう、
速度１ａおよび速度１ｂの中で速度１が選択されること、ならびに
(iv) もし速度１ａが工程(iii)で選択され、それにより液体の輸送を出口マイクロ導管Ｉ(４)から出口マイクロ導管ＩＩ(５)に切り替えたならば、速度１ｂを変更すること、またはもし速度１ｂが工程(iii)で選択され、それにより液体の輸送を出口マイクロ導管ＩＩ(５)から出口マイクロ導管Ｉ(４)に切り替えたならば、速度１ａを変更すること、
の工程を含むことを特徴とする方法。
【手続補正２】
【補正対象書類名】明細書
【補正対象項目名】００６１
【補正方法】変更
【補正の内容】
【００６１】
装置内で加工される液体容積／アリコートは、典型的には、ｎｌの範囲、即ち≦５０００μｌに、好ましくは、≦１０００ｎｌもしくは≦５００ｎｌもしくは≦１００ｎｌもしくは≦５０ｎｌのように、ｎｌの範囲、即ち≦５０００ｎｌにあって、それは、ひいてはｐｌの範囲、即ち≦１０００ｐｌのように、≦５０００ｐｌを含んでいる。